(57)【要約】      （修正有）【課題】ＣＳＩオーバーヘッドの増大を回避しながらＣＳＩフィードバック制度を向上する方法を提供する。【解決手段】少なくとも１つの送信ポイントから送信された基準信号（ＲＳ）に基づいて複数の周波数位置においてチャネル推定を行うことと、各周波数位置に関する少なくとも１つのチャネルフィードバックメトリックを計算することと、チャネルフィードバックメトリックを送信ポイントに送信することと、を含む。基地局（ＢＳ）は、ＢＳから送信されたＲＳに基づいて複数の周波数位置で計算された、ＵＥからのチャネルフィードバックメトリックを受信する。ＢＳは、受信されたチャネルフィードバックメトリックの周波数位置間での周波数位置に関するチャネルフィードバックに関する値を決定するための内挿を行う。【選択図】図８
2018117352.tif 000002
【特許請求の範囲】
【請求項１】
ユーザ装置（ＵＥ）による無線通信のための方法であって、
少なくとも１つの送信ポイントから送信された基準信号（ＲＳ）に基づいて複数の周波数位置においてチャネル推定を行うことと、
各周波数位置に関する少なくとも１つのチャネルフィードバックメトリックを計算することと、
前記チャネルフィードバックメトリックを前記少なくとも１つの送信ポイントに送信することと、を備える、方法。
【請求項２】
前記周波数位置は、前記基準信号を送信するために使用されるリソース要素（ＲＥ）に対応する請求項１に記載の方法。
【請求項３】
前記チャネル推定における誤差を取り除くためのフィルタリングをさらに備える請求項１に記載の方法。
【請求項４】
各周波数位置に関する少なくとも１つのチャネルフィードバックメトリックを計算することは、各周波数位置に関するプリコーダ行列インジケータ（ＰＭＩ）又はチャネル品質インジケータ（ＣＱＩ）のうちの少なくとも１つを計算することを備える請求項１に記載の方法。
【請求項５】
各周波数位置に関する少なくとも１つのチャネルフィードバックメトリックを計算することは、各周波数位置に関するチャネル方向を計算することを備える請求項１に記載の方法。
【請求項６】
前記チャネルフィードバックメトリックは、チャネル推定の一部として計算されたチャネル行列要素を備える請求項１に記載の方法。
【請求項７】
前記チャネル推定を行うことは、少なくとも第１及び第２の送信ポイントから送信されたＲＳに基づいて複数の周波数位置においてチャネル推定を行うことを備え、
各周波数位置に関する前記チャネルフィードバックメトリックを計算することは、前記第１及び第２の送信ポイントの各々に関するインターポイント振幅及び位相情報を計算することを備える請求項１に記載の方法。
【請求項８】
前記周波数位置の粒度を示すシグナリングを受信することをさらに備える請求項１に記載の方法。
【請求項９】
前記シグナリングは、異なる送信ポイントに関する異なる粒度を示す請求項８に記載の方法。
【請求項１０】
前記チャネルフィードバックメトリックは、周期的に提供される請求項１に記載の方法。
【請求項１１】
異なる周波数位置に関するフィードバックは、異なるサブフレームで報告される請求項１０に記載の方法。
【請求項１２】
前記チャネルフィードバックメトリックは、非周期的に提供され、すべての周波数位置に関する前記チャネルフィードバックメトリックは、単一の報告において提供される請求項１に記載の方法。
【請求項１３】
ユーザ装置（ＵＥ）による無線通信のための方法であって、
少なくとも１つの送信ポイントから送信された復調基準信号（ＤＭ−ＲＳ）に基づいて複数の周波数位置においてチャネル推定を行うことと、
前記複数の周波数位置間での周波数位置に関するチャネル推定値に関する値を決定するための内挿を行うことと、
前記内挿された値に少なくとも部分的に基づいて復調を行うことと、を備える、方法。
【請求項１４】
前記周波数位置は、前記ＤＭ−ＲＳを送信するために使用されるリソース要素（ＲＥ）に対応する請求項１３に記載の方法。
【請求項１５】
チャネル推定を前記行うことは、プリコーディングが物理的リソースブロックグループにわたって固定されるバンドリングを仮定せずにＤＭ−ＲＳ周波数位置ごとに前記チャネルを推定することを備える請求項１３に記載の方法。
【請求項１６】
ユーザ装置（ＵＥ）による無線通信のための装置であって、
少なくとも１つの送信ポイントから送信された基準信号（ＲＳ）に基づいて複数の周波数位置においてチャネル推定を行うための手段と、
各周波数位置に関する少なくとも１つのチャネルフィードバックを計算するための手段と、
前記チャネルフィードバックメトリックを前記少なくとも１つの送信ポイントに送信するための手段と、を備える、装置。
【請求項１７】
前記周波数位置は、前記基準信号を送信するために使用されるリソース要素（ＲＥ）に対応する請求項１６に記載の装置。
【請求項１８】
前記チャネル推定における誤差を取り除くためにフィルタリングするための手段をさらに備える請求項１６に記載の装置。
【請求項１９】
各周波数位置に関する少なくとも１つのチャネルフィードバックメトリックを計算することは、各周波数位置に関するプリコーダ行列インジケータ（ＰＭＩ）又はチャネル品質インジケータ（ＣＱＩ）のうちの少なくとも１つを計算することを備える請求項１６に記載の装置。
【請求項２０】
各周波数位置に関する少なくとも１つのチャネルフィードバックメトリックを計算することは、各周波数位置に関するチャネル方向を計算することを備える請求項１６に記載の装置。
【請求項２１】
前記チャネルフィードバックメトリックは、前記チャネル推定の一部として計算されたチャネル行列要素を備える請求項１６に記載の装置。
【請求項２２】
前記チャネル推定を行うことは、少なくとも第１及び第２の送信ポイントから送信されたＲＳに基づいて複数の周波数位置においてチャネル推定を行うことを備え、
各周波数位置に関する前記チャネルフィードバックメトリックを計算することは、前記第１及び第２の送信ポイントの各々に関するインターポイント振幅及び位相情報を計算することを備える請求項１６に記載の装置。
【請求項２３】
前記周波数位置の粒度を示すシグナリングを受信することをさらに備える請求項１６に記載の装置。
【請求項２４】
前記シグナリングは、異なる送信ポイントに関する異なる粒度を示す請求項２３に記載の装置。
【請求項２５】
前記チャネルフィードバックメトリックは、周期的に提供される請求項１６に記載の装置。
【請求項２６】
異なる周波数位置に関するフィードバックは、異なるサブフレームで報告される請求項２５に記載の装置。
【請求項２７】
前記チャネルフィードバックメトリックは、非周期的に提供され、すべての周波数位置に関する前記チャネルフィードバックメトリックは、単一の報告において提供される請求項１６に記載の装置。
【請求項２８】
ユーザ装置（ＵＥ）による無線通信のための装置であって、
少なくとも１つの送信ポイントから送信された復調基準信号（ＤＭ−ＲＳ）に基づいて複数の周波数位置においてチャネル推定を行うための手段と、
前記複数の周波数位置間での周波数位置に関するチャネル推定値に関する値を決定するための内挿を行うための手段と、
前記内挿された値に少なくとも部分的に基づいて復調を行うための手段と、を備える、装置。
【請求項２９】
前記周波数位置は、前記ＤＭ−ＲＳを送信するために使用されるリソース要素（ＲＥ）に対応する請求項２８に記載の装置。
【請求項３０】
チャネル推定を前記行うことは、プリコーディングが物理的リソースブロックグループにわたって固定されるバンドリングを仮定せずにＤＭ−ＲＳ周波数位置ごとに前記チャネルを推定することを備える請求項２８に記載の装置。
【発明の詳細な説明】
【技術分野】
【０００１】
３５Ｕ．Ｓ．Ｃ．§１１９に基づく優先権の主張
［０００１］本出願は、米国仮特許出願一連番号第６１／７５４，１３５号（出願日：２０１３年１月１８日）の利益を主張するものであり、ここにおける引用によってそれ全体がここに組み入れられている。
【０００２】
［０００２］本開示の幾つかの態様は、概して、無線通信に関するものであり、より具体的には、ロングタームエボリューション（ＬＴＥ（登録商標））における内挿に基づくチャネル状態情報（ＣＳＩ）のエンハンスメントに関する技法に関するものである。
【背景技術】
【０００３】
［０００３］様々な通信サービス、例えば、音声、映像、パケットデータ、メッセージング、ブロードキャスト、等、を提供することを目的として無線通信ネットワークが広範囲にわたって配備されている。これらの無線ネットワークは、利用可能なネットワークリソースを共有することによって複数のユーザをサポートすることが可能な多元接続ネットワークであることができる。該多元接続ネットワークの例は、符号分割多元接続（ＣＤＭＡ）ネットワークと、時分割多元接続（ＴＤＭＡ）ネットワークと、周波数分割多元接続（ＦＤＭＡ）ネットワークと、直交ＦＤＭＡ（ＯＦＤＭＡ）ネットワークと、単一搬送波ＦＤＭＡ（ＳＣ−ＦＤＭＡ）ネットワークと、を含む。
【０００４】
［０００４］無線通信ネットワークは、幾つかのユーザ装置（ＵＥ）のための通信をサポートすることができる幾つかの基地局を含むことができる。ＵＥは、ダウンリンク及びアップリンクを介して基地局と通信することができる。ダウンリンク（又は順方向リンク）は、基地局からＵＥへの通信リンクを意味し、アップリンク（又は逆方向リンク）は、ＵＥから基地局への通信リンクを意味する。
【０００５】
［０００５］基地局は、データ及び制御情報をダウンリンクでＵＥに送信することができ及び／又はデータ及び制御情報をアップリンクでＵＥから受信することができる。ダウンリンクでは、基地局からの送信は、近隣基地局からの送信に起因する干渉を観測することができる。アップリンクでは、ＵＥからの送信は、近隣基地局と通信するその他のＵＥからの送信に対する干渉を引き起こすおそれがある。干渉は、ダウンリンク及びアップリンクの両方において性能を劣化させる可能性がある。
【発明の概要】
【０００６】
［０００６］本開示の幾つかの態様は、ロングタームエボリューション（ｌｏｎｇ−ｔｅｒｍ  ｅｖｏｌｕｔｉｏｎ）（ＬＴＥ）における内挿（interpolation）に基づくチャネル状態情報（ＣＳＩ）のエンハンスメントに関する技法、対応する装置、及びプログラム製品を提供する。
【０００７】
［０００７］幾つかの態様は、ユーザ装置（ＵＥ）による無線通信のための方法を提供する。方法は、概して、少なくとも１つの送信ポイントから送信された基準信号（ＲＳ）に基づいて複数の周波数位置（ｆｒｅｑｕｅｎｃｙ  ｌｏｃａｔｉｏｎ）においてチャネル推定を行うことと、各周波数位置に関する少なくとも１つのチャネルフィードバックメトリックを計算することと、チャネルフィードバックメトリックを少なくとも１つの送信ポイントに送信することと、を含む。
【０００８】
［０００８］幾つかの態様は、基地局（ＢＳ）による無線通信のための方法を提供する。
方法は、概して、ＢＳから送信されたＲＳに基づいて複数の周波数位置において計算された、ＵＥからのチャネルフィードバックメトリックを受信することと、受信されたチャネルフィードバックメトリックの周波数位置間での周波数位置に関するチャネルフィードバックメトリックに関する値を決定するための内挿を行うことと、を含む。
【０００９】
［０００９］幾つかの態様は、ＵＥによる無線通信のための方法を提供する。方法は、概して、少なくとも１つの送信ポイントから送信された復調基準信号（ＤＭ−ＲＳ）に基づいて複数の周波数位置においてチャネル推定を行うことと、複数の周波数位置間での周波数位置に関するチャネル推定値に関する値を決定するための内挿を行うことと、内挿された値に少なくとも部分的に基づいて復調を行うことと、を含む。
【００１０】
［００１０］幾つかの態様は、ＵＥによる無線通信のための装置を提供する。装置は、概して、少なくとも１つの送信ポイントから送信されたＲＳに基づいて複数の周波数位置においてチャネル推定を行うための手段と、各周波数位置に関する少なくとも１つのチャネルフィードバックメトリックを計算するための手段と、チャネルフィードバックメトリックを少なくとも１つの送信ポイントに送信するための手段とを含む。
【００１１】
［００１１］本開示の様々な態様及び特徴が以下においてさらに詳細に説明される。
【図面の簡単な説明】
【００１２】
【図１】［００１２］本開示の幾つかの態様による、無線通信ネットワークの例を概念的に示したブロック図である。
【図２】［００１３］本開示の幾つかの態様による、無線通信ネットワークにおけるフレーム構造の例を概念的に示したブロック図である。
【図２Ａ】［００１４］本開示の幾つかの態様による、ロングタームエボリューション（ＬＴＥ）におけるアップリンクに関するフォーマット例を示した図である。
【図３】［００１５］本開示の幾つかの態様による、無線通信ネットワークにおけるユーザ装置デバイス（ＵＥ）と通信状態にあるノードＢの例を概念的に示したブロック図である。
【図４】［００１６］本開示の幾つかの態様による、多数のセルからのジョイント送信を有する協調マルチポイント（ＣｏＭＰ）クラスタ例を示した図である。
【図５】［００１７］本開示の幾つかの態様による、予め定義された周波数位置における復調のための内挿に基づくチャネル状態情報（ＣＳＩ）フィードバック例を示した図である。
【図６】［００１８］本開示の幾つかの態様による、内挿に基づくＣＳＩフィードバック又は経時で変化する復調周波数位置例を示した図である。
【図７】［００１９］本開示の態様による、例えば、ＵＥによって行うことができる動作例を示した図である。
【図８】［００２０］本開示の態様による、例えば、基地局（ＢＳ）によって行うことができる動作例を示した図である。
【図９】［００２１］本開示の態様による、例えば、ＵＥによって行うことができる動作例を示した図である。
【発明を実施するための形態】
【００１３】
ここにおいて説明される技法は、様々な無線通信ネットワーク、例えば、ＣＤＭＡ、ＴＤＭＡ、ＦＤＭＡ、ＯＦＤＭＡ、ＳＣ−ＦＤＭＡ及びその他の無線ネットワーク、に関して用いることができる。用語“ネットワーク”及び“システム”は、しばしば互換可能な形で用いられる。ＣＤＭＡネットワークは、ユニバーサル地上無線アクセス（ＵＴＲＡ）、ｃｄｍａ２０００、等の無線技術を実装することができる。ＵＴＲＡは、広帯域ＣＤＭＡ（ＷＣＤＭＡ（登録商標））と、ＣＤＭＡのその他の変形と、を含む。ｃｄｍａ２０００は、ＩＳ−２０００規格、ＩＳ−９５規格及びＩＳ−８５６規格を網羅する。ＴＤＭＡネットワークは、グローバル移動体通信システム（ＧＳＭ（登録商標））、等の無線技術を実装することができる。ＯＦＤＭＡネットワークは、エボルブド（Ｅｖｏｌｖｅｄ）ＵＴＲＡ（Ｅ−ＵＴＲＡ）、ウルトラモバイルブロードバンド（Ｕｌｔｒａ  Ｍｏｂｉｌｅ
Ｂｒｏａｄｂａｎｄ）（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭＡ（登録商標）、等の無線技術を実装することができる。ＵＴＲＡ及びＥ−ＵＴＲＡは、ユニバーサル移動体通信システム（ＵＭＴＳ）の一部である。３ＧＰＰ（登録商標）ロングタームエボリューション（Ｌｏｎｇ  Ｔｅｒｍ  Ｅｖｏｌｕｔｉｏｎ）（ＬＴＥ）及びＬＴＥ−Ａｄｖａｎｃｅｄ（ＬＴＥ−Ａ）は、Ｅ−ＵＴＲＡを使用するＵＭＴＳの新しいリリース版である。ＵＴＲＡ、Ｅ−ＵＴＲＡ、ＵＭＴＳ、ＬＴＥ、ＬＴＥ−Ａ及びＧＳＭは、“第３世代パートナーシッププロジェクト”（３ＧＰＰ）という名称の組織からの文書において記述される。ｃｄｍａ２０００及びＵＭＢは、“第３世代パートナーシッププロジェクト２”（３ＧＰＰ２）という名称の組織からの文書において記述される。ここにおいて説明される技法は、上述される無線ネットワーク及び無線技術、及びその他の無線ネットワーク及び無線技術のために用いることができる。明確化のため、これらの技法の幾つかの態様は、ＬＴＥに関して以下において説明されており、以下の説明の多くの部分においてはＬＴＥ用語が用いられる。
【００１４】
無線ネットワーク例
図１は、ＬＴＥネットワークであることができる無線通信ネットワーク１００を示す。
無線ネットワーク１００は、幾つかのエボルブドノードＢ（ｅＮＢ）１１０と、その他のネットワークエンティティと、を含むことができる。ｅＮＢは、ユーザ装置デバイス（ＵＥ）と通信する局であることができ、基地局、ノードＢ、アクセスポイント、等と呼ばれることもある。各ｅＮＢ１１０は、特定の地理上のエリアのための通信カバレッジを提供することができる。３ＧＰＰでは、用語“セル”は、その用語が使用される文脈に依存して、カバレッジエリアにサービスを提供するｅＮＢ及び／又はｅＮＢサブシステムのこのカバレッジエリアを意味することができる。
【００１５】
ｅＮＢは、マクロセル、ピコセル、フェムトセル、及び／又はその他のタイプのセルのための通信カバレッジを提供することができる。マクロセルは、相対的に大きい地理上のエリア（例えば、半径数キロメートル）を網羅することができ、サービス加入契約を有するＵＥによる無制限のアクセスを許容することができる。ピコセルは、相対的に小さい地理上のエリアを網羅することができ、サービス加入契約を有するＵＥによる無制限のアクセスを許容することができる。フェムトセルは、相対的に小さい地理上のエリア（例えば、住宅）を網羅することができ、フェムトセルとの関連性を有するＵＥ（例えば、クローズド加入者グループ（ＣＳＧ）内のＵＥ）による制限されたアクセスを許容することができる。マクロセルのためのｅＮＢは、マクロｅＮＢ（すなわち、マクロ基地局）と呼ぶことができる。ピコセルのためのｅＮＢは、ピコｅＮＢ（すなわち、ピコ基地局）と呼ぶことができる。フェムトセルのためのｅＮＢは、フェムトｅＮＢ（すなわち、フェムト基地局）又はホームｅＮＢと呼ぶことができる。図１に示される例では、ｅＮＢ１１０ａ、１１０ｂ及び１１０ｃは、マクロセル１０２ａ、１０２ｂ及び１０２ｃのためのそれぞれのマクロｅＮＢであることができる。ｅＮＢ１００ｘは、ピコセル１０２ｘのためのピコｅＮＢであることができる。ｅＮＢ１００ｙ及び１１０ｚは、フェムトセル１０２ｙ及び１０２ｚのそれぞれのためのフェムトｅＮＢであることができる。ｅＮＢは、１つ又は複数の（例えば、３つの）セルをサポートすることができる。
【００１６】
［００２５］無線ネットワーク１００は、中継局を含むこともできる。中継局は、上流局（例えば、ｅＮＢ又はＵＥ）からのデータ及び／又はその他の情報の送信を受信し、下流局（例えば、ＵＥ又はｅＮＢ）にデータ及び／又はその他の情報の送信を送る。中継局は、その他のＵＥのための送信を中継するＵＥであることもできる。図１に示される例では、中継局１１０ｒは、ｅＮＢ１１０ａとＵＥ１２０ｒとの間での通信を容易にするためにｅＮＢ１１０ａ及びＵＥ１２０ｒと通信することができる。中継局は、中継ｅＮＢ、中継器、等と呼ぶこともできる。
【００１７】
［００２６］無線ネットワーク１００は、異なるタイプのｅＮＢ、例えば、マクロｅＮＢ、ピコｅＮＢ、フェムトｅＮＢ、中継器、等を含む異種ネットワーク（ＨｅｔＮｅｔ）であることができる。これらの異なるタイプのｅＮＢは、無線ネットワーク１００において、異なる送信電力レベル、異なるカバレッジエリア、及び干渉に対する異なる影響を有することができる。例えば、マクロｅＮＢは、高い送信電力レベル（例えば、２０ワット）を有することができ、他方、ピコｅＮＢ、フェムトｅＮＢ、及び中継器は、それよりも低い送信電力レベル（例えば、１ワット）を有することができる。
【００１８】
［００２７］無線ネットワーク１００は、同期的動作及び非同期的動作をサポートすることができる。同期的動作の場合は、ｅＮＢは、同様のフレームタイミングを有することができ、異なるｅＮＢからの送信を時間的にほぼ整合させることができる。非同期的動作の場合は、ｅＮＢは、異なるフレームタイミングを有することができ、及び、異なるｅＮＢからの送信は、時間的に整合させることができない。ここにおいて説明される技法は、同期的動作及び非同期的動作の両方に関して使用することができる。
【００１９】
［００２８］ネットワークコントローラ１３０は、ｅＮＢの組に結合し、これらのｅＮＢに関する調整及び制御を提供することができる。ネットワークコントローラ１３０は、バックホールを介してｅＮＢ１１０と通信することができる。ｅＮＢは、例えば、直接的に又は無線バックホール又は有線バックホールを介して間接的に、互いに通信することもできる。
【００２０】
ＵＥ１２０は、無線ネットワーク１００全体にわたって分散することができ、各ＵＥは、静止型又は移動型であることができる。ＵＥは、端末、移動局、加入者ユニット、局、等と呼ばれることもある。ＵＥは、携帯電話、パーソナルデジタルアシスタント（ＰＤＡ）、無線モデム、無線通信デバイス、ハンドヘルドデバイス、ラップトップコンピュータ、コードレスフォン、ワイヤレスローカルループ（ＷＬＬ）局、タブレット、等であることができる。ＵＥは、マクロｅＮＢ、ピコｅＮＢ、フェムトｅＮＢ、中継器、等と通信することができる。図１において、２つの矢を有する実線は、ＵＥとサービスを提供するｅＮＢとの間での希望される送信を示し、サービスを提供するｅＮＢは、ダウンリンク及び／又はアップリンクでＵＥにサービスを提供するように指定されたｅＮＢである。２つ矢を有する破線は、ＵＥとｅＮＢとの間で干渉する送信を示す。幾つかの態様に関しては、ＵＥは、ＬＴＥ  Ｒｅｌｅａｓｅ１０ＵＥを備えることができる。
【００２１】
［００３０］ＬＴＥは、ダウンリンクでは直交周波数分割多重（ＯＦＤＭ）、アップリンクでは単一搬送波周波数分割多重（ＳＣ−ＦＤＭ）を利用する。ＯＦＤＭ及びＳＣ−ＦＤＭは、システム帯域幅を複数（Ｋ）の直交副搬送波に分割し、それらは、共通してトーン、ビン、等とも呼ばれる。各副搬送波は、データとともに変調することができる。概して、変調シンボルは、ＯＦＤＭの場合は周波数領域で、ＳＣ−ＦＤＭの場合は時間領域で送信される。隣接する副搬送波間の間隔は、一定であることができ、副搬送波の総数（Ｋ）は、システム帯域幅に依存することができる。例えば、Ｋは、１．２５、２．５、５、１０又は２０メガヘルツ（ＭＨｚ）のシステム帯域幅に関してはそれぞれ１２８、２５６、５１２、１０２４又は２０４８に等しいことができる。システム帯域幅は、サブバンドに分割することもできる。例えば、サブバンドは、１．０８ＭＨｚを網羅することができ、１．２５、２．５、５、１０又は２０ＭＨｚのシステム帯域幅に関してはそれぞれ１、２、４、８又は１６のサブバンドが存在することができる。
【００２２】
［００３１］図２は、ＬＴＥで使用されるフレーム構造を示す。ダウンリンクのための送信タイムラインは、無線フレーム単位に分割することができる。各無線フレームは、予め決定された継続時間（例えば、１０ミリ秒（ｍｓ））を有することができ及び０乃至９のインデックスを有する１０のサブフレームに分割することができる。各サブフレームは、２つのスロットを含むことができる。従って、各無線フレームは、０乃至１９のインデックスを有する２０のスロットを含むことができる。各スロットは、Ｌのシンボル期間、例えば、通常のサイクリックプリフィックス（ＣＰ）に関してはＬ＝７のシンボル期間（図２）又は拡張されたＣＰに関してはＬ＝６のシンボル期間、を含むことができる。各サブフレーム内の２Ｌのシンボル期間には、０乃至２Ｌ−１のインデックスを割り当てることができる。利用可能な時間周波数リソースは、リソースブロックに分割することができる。各リソースブロックは、１つのスロットでＮの副搬送波（例えば、１２の副搬送波）を網羅することができる。
【００２３】
［００３２］ＬＴＥでは、ｅＮＢは、ｅＮＢ内の各セルに関して一次同期信号（ＰＳＳ）及び二次同期信号（ＳＳＳ）を送信することができる。一次及び二次同期信号は、図２に示されるように、通常のサイクリックプリフィックスを有する各無線フレームのサブフレーム０乃至５の各々において、シンボル期間６及び５でそれぞれ送信することができる。
同期信号は、セルの検出及び取得のためにＵＥによって使用することができる。ｅＮＢは、サブフレーム０のスロット１においてシンボル期間０乃至３で物理ブロードキャストチャネル（ＰＢＣＨ）を送信することができる。ＰＢＣＨは、一定のシステム情報を搬送することができる。
【００２４】
［００３３］ｅＮＢは、図２において示されるように、各サブフレームの第１のシンボル期間で物理制御フォーマットインジケータチャネル（ＰＣＦＩＣＨ）を送信することができる。ＰＣＦＩＣＨは、制御チャネルのために使用されるシンボル期間数（Ｍ）を搬送することができ、ここで、Ｍは、１、２又は３に等しいことができ及びサブフレームごとに変わることができる。Ｍは、例えば、１０未満のリソースブロックを有する小さいシステム帯域幅に関しては４に等しいこともできる。ｅＮＢは、各サブフレームの最初のＭのシンボル期間において物理ＨＡＲＱインジケータチャネル（ＰＨＩＣＨ）及び物理ダウンリンク制御チャネル（ＰＤＣＣＨ）を送信することができる（図２には示されていない）。
ＰＨＩＣＨは、ハイブリッド自動再送要求（ＨＡＲＱ）をサポートするための情報を搬送することができる。ＰＤＣＣＨは、ＵＥのためのリソース割り当てに関する情報およびダウンリンクチャネルのための制御情報を搬送することができる。ｅＮＢは、各サブフレームの残りのシンボル期間で物理ダウンリンク共有チャネル（ＰＤＳＣＨ）を送信することができる。ＰＤＳＣＨは、ダウンリンクでのデータ送信のためにスケジューリングされたＵＥのためのデータを搬送することができる。公に入手可能な３ＧＰＰ  ＴＳ  ３６．２１１“Evolved Universal Terrestrial Radio Access (E-UTRA); Physical Channels and Modulation”（エボルブドユニバーサル地上無線アクセス（Ｅ−ＵＴＲＡ）；物理チャネル及び変調）においてＬＴＥにおける様々な信号及びチャネルが説明されている。
【００２５】
［００３４］ｅＮＢは、ｅＮＢによって使用されるシステム帯域幅の中央の１．０８ＭＨｚにおいてＰＳＳ、ＳＳＳ及びＰＢＣＨを送信することができる。ｅＮＢは、ＰＣＦＩＣＨ及びＰＨＩＣＨが送信される各シンボル期間にシステム帯域幅全体でこれらのチャネルを送信することができる。ｅＮＢは、システム帯域幅の幾つかの部分でＵＥのグループにＰＤＣＣＨを送信することができる。ｅＮＢは、システム帯域幅の幾つかの部分でＵＥのグループにＰＤＳＣＨを送信することができる。ｅＮＢは、システム帯域幅の特定の部分で特定のＵＥにＰＤＣＳＣＨを送信することができる。ｅＮＢは、全ＵＥに対してブロードキャスト方式でＰＳＳ、ＳＳＳ、ＰＢＣＨ、ＰＣＦＩＣＨ及びＰＨＩＣＨを送信することができ、及び、特定のＵＥに対してユニキャスト方式でＰＤＣＣＨを送信することができ、及び、特定のＵＥに対してユニキャスト方式でＰＤＳＣＨを送信することもできる。
【００２６】
［００３５］各シンボル期間において幾つかのリソース要素を利用可能である。各リソース要素は、１つのシンボル期間に１つの副搬送波を網羅することができ及び実数値又は複素値であることができる１つの変調シンボルを送信するために使用することができる。各シンボル期間において基準信号のために使用されないリソース要素は、リソース要素グループ（ＲＥＧ）にまとめることができる。各ＲＥＧは、１つのシンボル期間に４つのリソース要素を含むことができる。ＰＣＦＩＣＨは、４つのＲＥＧを占めることができ、それらは、シンボル期間０において、周波数全体にわたってほぼ均等に配置することができる。ＰＨＩＣＨは、３つのＲＥＧを占めることができ、それらは、１つ以上の構成可能なシンボル期間において、周波数全体にわたって分散させることができる。例えば、ＰＨＩＣＨのための３つのＲＥＧは、すべて、シンボル期間０内に属することができ又はシンボル期間０、１及び２において分散させることができる。ＰＤＣＣＨは、最初のＭのシンボル期間において、９、１８、３２又は６４のＲＥＧを占めることができ、それらは、利用可能なＲＥＧから選択することができる。ＰＤＣＣＨに関しては、ＲＥＧの幾つかの組み合わせのみを許容することができる。
【００２７】
［００３６］ＵＥは、ＰＨＩＣＨ及びＰＣＦＩＣＨのために使用される特定のＲＥＧを知っていることができる。ＵＥは、ＰＤＣＣＨに関してＲＥＧの異なる組み合わせを探索することができる。探索すべき組み合わせ数は、典型的には、ＰＤＣＣＨに関する許容された組み合わせ数よりも少ない。ｅＮＢは、ＵＥが探索する組み合わせのうちのいずれかでＵＥにＰＤＣＣＨを送信することができる。
【００２８】
［００３７］図２Ａは、ＬＴＥにおけるアップリンクに関する典型的なフォーマット２００Ａを示す。アップリンクに関して利用可能なリソースブロックは、データ部及び制御部に分割することができる。制御部は、システム帯域幅の２つの縁部において形成することができ及び設定可能なサイズを有することができる。制御部内のリソースブロックは、制御情報の送信のためにＵＥに割り当てることができる。データ部は、制御部に含まれていないすべてのリソースブロックを含む。図２Ａにおける設計は、その結果として、隣接する副搬送波を含むデータ部が得られ、それは、データ部内のすべての隣接する副搬送波が単一のＵＥに割り当てられることを可能にする。
【００２９】
［００３８］ＵＥには、ｅＮＢに制御情報を送信するための制御部内のリソースブロックを割り当てることができる。ＵＥには、ｅＮＢにデータを送信するためのデータ部内のリソースブロックを割り当てることもできる。ＵＥは、制御部内の割り当てられたリソースブロックで物理アップリンク制御チャネル（ＰＵＣＣＨ）２１０ａ、２１０ｂ内で制御情報を送信することができる。ＵＥは、データ部の割り当てられたリソースブロックで物理アップリンク共有チャネル（ＰＵＳＣＨ）２２０ａ、２２０ｂにおいてデータのみ又はデータと制御情報の両方を送信することができる。アップリンク送信は、図２Ａにおいて示されるように、サブフレームの両方のスロットにわたることができ及び周波数間でホップすることができる。
【００３０】
［００３９］ＵＥは、複数のｅＮＢのカバレッジ内に存在することができる。これらのｅＮＢのうちの１つは、ＵＥにサービスを提供するために選択することができる。サービスを提供するｅＮＢは、様々な基準、例えば、受信された電力、経路損失、信号対雑音比（ＳＮＲ）、等、に基づいて選択することができる。
【００３１】
［００４０］ＵＥは、ＵＥが１つ以上の干渉中のｅＮＢからの高い干渉を観測することができる圧倒的干渉シナリオで動作することができる。圧倒的干渉シナリオは、制限された関連付けに起因して発生する可能性がある。例えば、図１において、ＵＥ１２０ｙは、フェムトｅＮＢ１１０ｙに近いことができ及びｅＮＢ１１０ｙに関して高い受信電力を有することができる。しかしながら、ＵＥ１２０ｙは、制限された関連付けに起因してフェムトｅＮＢ１１０ｙにアクセスすることができず、より低い受信電力を有するマクロｅＮＢ１１０ｃ（図１に示される）又は同じくより低い受信電力を有するフェムトｅＮＢ（図１に示されない）に接続することができる。これで、ＵＥ１２０ｙは、ダウンリンクでフェムトｅＮＢ１１０ｙからの高い干渉を観測することができ、アップリンクでｅＮＢ１１０ｙに対して高い干渉を引き起こすこともある。
【００３２】
［００４１］圧倒的干渉シナリオは、範囲拡大に起因して発生することもあり、それは、ＵＥが、ＵＥによって検出されたすべてのｅＮＢの中でより低い経路損失及びより低いＳＮＲを有するｅＮＢに接続するシナリオである。例えば、図１において、ＵＥ１２０ｘは、マクロｅＮＢ１１０ｂ及びピコｅＮＢ１１０ｘを検出することができ及びｅＮＢ１１０ｘに関してｅＮＢ１１０ｂよりも低い受信電力を有することができる。しかしながら、ｅＮＢ１１０ｘに関する経路損失がマクロｅＮＢ１１０ｂに関する経路損失よりも低い場合は、ＵＥ１２０ｘはピコｅＮＢ１１０ｘに接続するのが望ましいであろう。この結果、ＵＥ１２０ｘに関する所定のデータレートに関してより低い干渉を無線ネットワークに及ぼすことができる。
【００３３】
［００４２］一態様においては、圧倒的干渉シナリオにおける通信は、異なるｅＮＢが異なる周波数帯域で動作するようにさせることによってサポートすることができる。周波数帯域は、通信のために使用することができる周波数の範囲であり、（ｉ）中心周波数及び帯域幅又は（ｉｉ）低周波数及び高周波数によって与えることができる。周波数帯域は、帯域、周波数チャネル、等と呼ぶこともできる。異なるｅＮＢに関する周波数帯域を選択することができ、従って、ＵＥは、強力なｅＮＢがそれのＵＥと通信するのを可能にしつつＵＥが圧倒的干渉シナリオにおいてより弱いｅＮＢと通信することができる。ｅＮＢは、ＵＥにおいて受信されたｅＮＢからの信号の受信電力に基づいて“弱い”ｅＮＢ又は“強力な”ｅＮＢとして分類ことができる（ｅＮＢの送信電力レベルに基づくのではない）。
【００３４】
［００４３］図３は、基地局又はｅＮＢ１１０及びＵＥ１２０の設計のブロック図を示し、それは、図１の基地局／ｅＮＢのうちの１つ及びＵＥのうちの１つであることができる。制限された関連付けのシナリオに関しては、ｅＮＢ１１０は、図１のマクロｅＮＢ１１０ｃであることができ、ＵＥ１２０は、ＵＥ１２０ｙであることができる。ｅＮＢ１１０は、何らかのその他のタイプの基地局であることもできる。ｅＮＢ１１０は、Ｔ本のアンテナ３３４ａ乃３３４ｔを装備することができ、ＵＥ１２０は、Ｒ本のアンテナ３５２ａ乃至３５２ｒを装備することができ、ここで、概して、Ｔ≧１及びＲ≧１である。
【００３５】
［００４４］ｅＮＢ１１０において、送信プロセッサ３２０は、データソース３１２からデータを及びコントローラ／プロセッサ３４０から制御情報を受信することができる。制御情報は、ＰＢＣＨ、ＰＣＦＩＣＨ、ＰＨＩＣＨ、ＰＤＣＣＨ、等を対象にすることができる。データは、ＰＤＳＣＨ、等を対象とすることができる。送信プロセッサ３２０は、データシンボル及び制御シンボルをそれぞれ入手するためにデータ及び制御情報を処理（例えば、符号化及びシンボルマッピング）することができる。送信プロセッサ３２０は、例えば、ＰＳＳ、ＳＳＳ、及び各々のセルごとの基準信号のための基準シンボルも生成することができる。送信（ＴＸ）多入力多出力（ＭＩＭＯ）プロセッサ３３０は、該当する場合は、データシンボル、制御シンボル、及び／又は基準シンボルに対する空間処理（例えば、プリコーディング）を行うことができ、及び、Ｔの変調器（ＭＯＤ）３３２ａ乃至３３２ｔに対してＴの出力シンボルストリームを提供することができる。各変調器３３２は、（例えば、ＯＦＤＭ、等に関して）各々の出力シンボルストリームを処理して出力サンプルストリームを入手することができる。各変調器３３２は、出力サンプルストリームをさらに処理（例えば、アナログへの変換、増幅、フィルタリング、及びアップコンバージョン）し、ダウンリンク信号を入手することができる。変調器３３２ａ乃至３３２ｔからのＴのダウンリンク信号は、Ｔ本のアンテナ３３４ａ乃至３３４ｔをそれぞれ介して送信することができる。
【００３６】
［００４５］ＵＥ１２０において、アンテナ３５２ａ乃至３５２ｒは、ｅＮＢ１１０からダウンリンク信号を受信することができ及び受信された信号を復調器（ＤＥＭＯＤ）３５４ａ乃至３５４ｒにそれぞれ提供することができる。各復調器３５４は、各々の受信された信号をコンディショニング（例えば、フィルタリング、増幅、ダウンコンバージョン、及びデジタル化）して入力サンプルを入手することができる。各復調器３５４は、（例えば、ＯＦＤＭ、等に関して）入力サンプルをさらに処理して受信されたシンボルを入手することができる。ＭＩＭＯ検出器３５６は、すべてのＲの復調器３５４ａ乃至３５４ｒから受信されたシンボルを入手し、該当する場合は受信されたシンボルにおいてＭＩＭＯ検出を行い、検出されたシンボルを提供することができる。受信プロセッサ３５８は、検出されたシンボルを処理（例えば、復調、デインターリービング、及び復号）し、ＵＥ１２０のための復号されたデータをデータシンク３６０に提供し、復号された制御情報をコントローラ／プロセッサ３８０に提供することができる。
【００３７】
［００４６］アップリンクでは、ＵＥ１２０において、送信プロセッサ３６４は、データソース３６２から（例えば、ＰＵＳＣＨに関する）データを及びコントローラ／プロセッサ３８０から（例えば、ＰＵＣＣＨに関する）制御情報を受信及び処理することができる。送信プロセッサ３６４は、基準信号のための基準シンボルを生成することもできる。送信プロセッサ３６４からのシンボルは、該当する場合はＴＸ  ＭＩＭＯプロセッサ３６６によってプリコーディングし、（例えば、ＳＣ−ＦＤＭ、等に関して）変調器３５４ａ乃至３５４ｒによってさらに処理し、ｅＮＢ１１０に送信することができる。ｅＮＢ１１０において、ＵＥ１２０からのアップリンク信号は、アンテナ３３４によって受信し、復調器３３２によって処理し、該当する場合はＭＩＭＯ検出器３３６によって検出し、受信プロセッサ３３８によってさらに処理して、ＵＥ１２０によって送信された復号されたデータ及び制御情報を入手することができる。受信プロセッサ３３８は、復号されたデータをデータシンク３３９に提供することができ及び復号された制御情報をコントローラ／プロセッサ３４０に提供することができる。
【００３８】
［００４７］コントローラ／プロセッサ３４０及び３８０は、ｅＮＢ１１０及びＵＥ１２０での動作をそれぞれ指示することができる。ｅＮＢ１１０のコントローラ／プロセッサ３４０、受信プロセッサ３３８、及び／又はその他のプロセッサ及びモジュールは、図８における動作８００及び／又はここにおいて説明される技法のためのその他のプロセスを実行すること又は指示することができる。メモリ３４２及び３８２は、ｅＮＢ１１０及びＵＥ１２０のためのデータ及びプログラムコードをそれぞれ格納することができる。スケジューラ３４４は、ダウンリンク及び／又はアップリンクでのデータ送信のためにＵＥをスケジューリングすることができる。
【００３９】
ＬＴＥにおける内挿に基づくＣＳＩのエンハンスメント
［００４８］ネットワークにおいて干渉の無効化を行うためには正確なチャネル状態情報（ＣＳＩ）が必須である。良好な性能を達成するためには、現在のセルラーシステム（例えば、ロングタームエボリューションアドバンスト（ＬＴＥ−Ａ）によってサポートされるＣＳＩフィードバック精度を向上させることが有益である。しかしながら、フィードバックの向上と対応するアップリンクフィードバックオーバーヘッドの増大の間のバランスをとることが望ましい。同様に、ユーザ装置（ＵＥ）におけるより良いチャネル推定を可能にするために復調に関するプリコーダ粒度（ｇｒａｎｕｌａｒｉｔｙ）を固定することができる。しかしながら、干渉無効化に関しては、無効化能力を向上させるために固定されたプリコーダ粒度は回避することが望ましいであろう。
【００４０】
［００４９］幾つかのシステム（例えば、Ｒｅｌｅａｓｅ−１１ロングタームエボリューション（ＬＴＥ））においては、ＬＴＥにおける協調マルチポイント（ＣｏＭＰ）は、調整されたスケジューリング／調整されたビーム形成（ＣＳ／ＣＢ）、ダイナミックポイント選択（ＤＰＳ）、及び非コヒーレントな（例えば、トランスペアレントな）ジョイント送信（ＪＴ）を含む複数のＣｏＭＰ方式を対象とする。
【００４１】
［００５０］Ｒｅｌｅａｓｅ−１１では、様々なＣｏＭＰ配備シナリオを採用することができる。第１のシナリオでは、同じマクロサイトのセルにわたって均一にＣｏＭＰを採用することができる。第２のシナリオでは、３つの近隣のマクロサイトにわたって均一にＣｏＭＰを採用することができる。第３のシナリオでは、ＣｏＭＰは、マクロセル及び関連するピコセル（例えば、リモートラジオヘッド（ＲＲＨ））にわたって不均一に採用することができる。第３のシナリオでは、マクロセル及びＲＲＨは、異なるセルＩＤで構成することができる。第４のシナリオでは、第３のシナリオの場合と同じように、ＣｏＭＰは、マクロセル及び関連するピコセルにわたって不均一に採用することができるが、このシナリオでは、マクロセル及びＲＲＨは、同じセルＩＤで構成することができる。
【００４２】
［００５１］ＪＴ方式に関して、複数の送信ポイントが複数のＵＥをスケジューリングすることができる。複数のストリームにわたる干渉を抑止するために干渉無効化を希望することができる。しかしながら、幾つかの態様により、ＤＰＳに関して最適化されたＣＳＩフィードバックは、正確な干渉無効化を可能にする上で十分に精密でないことがある。
【００４３】
［００５２］図４は、本開示の幾つかの態様によるＣｏＭＰクラスタ例４００を示す。Ｒｅｌ−１１では、ジョイント送信は、図４において示されるように、ほんの幾つかのセルのみの間での調整に焦点を合わせた一方で、幾つかのマルチポイント等化（ＭＰＥ）方式では、多数のセルからのジョイント送信が存在することができる。例えば、図４においてわかるように、ＵＥ１は、複数のＲＲＨ、ＲＲＨ１乃至ＲＲＨ７、から送信を受信する。
ＵＥ１は、ＣｏＭＰクラスタ４００内で干渉無効化を行うことができる。
【００４４】
［００５３］各送信ポイント（例えば、ＲＲＨ１乃至ＲＲＨ７）は、複数のＵＥ（例えば、ＵＥ１乃至ＵＥ７）のスケジューリングを継続するため、干渉無効化は、スケジューリング機会を保存することができる。干渉無効化は、ストリーム間にわたる干渉を抑止することができる。
【００４５】
［００５４］典型的には、ＣＳＩフィードバックは、主に、ＤＳＰに関して最適化され、正確な干渉無効化を可能にする上で十分に正確でない。良好な性能を達成するために、セルラーシステム、例えば、ＬＴＥ、によってサポートされるＣＳＩフィードバック精度を向上させることが望ましい。正確なＣＳＩフィードバックは、ネットワークにおける干渉無効化を行うための必須条件である。しかしながら、フィードバックの向上は、アップリンクフィードバックオーバーヘッドを増大させるおそれがある。
【００４６】
［００５５］様々なプリコーディング方式が存在する。ゼロフォーシング（Ｚｅｒｏ−Ｆｏｒｃｉｎｇ）プリコーディングは、システム全体のチャネル行列を逆転させることを試みる。信号−漏れ比最適化は、信号結合と干渉無効化との間のバランスをとることを試みる。干渉無効化は、周波数選択的チャネルによって導入されることがあるＣＳＩエラーの影響を受けやすい。１つの解決方法は、サブバンドのサイズを少なくとも１つの物理的リソースブロック（ＰＲＢ）以下に小さくすることである。しかしながら、サブバンドサイズを小さくするのを回避すること及びＵＥ側での平均化を回避することが望ましい。
【００４７】
［００５６］ＬＴＥは、暗黙のランクインジケータ／プリコーディング行列インジケータ／チャネル品質インジケータ（ＲＩ／ＰＭＩ／ＣＱＩ）フィードバックフレームワークを利用する。ＣＳＩフィードバックは、好ましい送信ランク、プリコーダ、及びパケットフォーマットをＵＥからネットワークに搬送する。ＵＥは、ＲＩを有する好ましい送信ランク、ＲＩに基づいてコンディショニングされる、ＰＭＩを有する好ましいプリコーディング行列、及びＲＩ及びＰＭＩに基づいてコンディショニングされる、ＣＱＩを有する好ましいパケットフォーマットを搬送する。
【００４８】
［００５７］ＲＩ／ＰＭＩ／ＣＱＩフィードバックは、帯域幅の一部分にわたる平均的なチャネル状態を反映させる。システム帯域幅（例えば、ワイドバンドＲＩ／ＰＭＩ）にわたる平均的なチャネル状態を反映させるために幾つかのメトリック、例えば、ＲＩ及びＰＭＩを計算することができる。幾つかのメトリック、例えば、ＰＭＩ及びＣＱＩは、サブバンドごとに計算することができる。しかしながら、サブバンド粒度は、依然としてかなり粗い（例えば、６ＰＲＧ）。ＣＳＩ情報の平均化は、干渉無効化にとっては望ましくないことがある。ＣＳＩ情報を平均化することは、ネットワークがＵＥによるＣＳＩフィードバックを内挿する能力を制限し及びＵＥが復調のためにプリコーダを内挿する能力を制限する。
【００４９】
［００５８］プリコーディング粒度は、現在は、バンドリング（ｂｕｎｄｌｉｎｇ）がイネーブルにされるときには複数のＰＲＢ（例えば、１つのＰＲＧ）に固定される。上記のように、正確なフィードバックを提供するために、サブバンド粒度は、サブバンドサイズを縮小することによって向上させることができるが、この解決方法は、さらなるオーバーヘッドに結び付く。復調基準信号（ＤＭ−ＲＳ）に基づく復調に関しては、ＵＥは、ＰＭＩ／ＲＩフィードバックとともに構成される場合にＰＲＢバンドリングを仮定することができる。ＵＥは、プリコーダが１つのグループのＰＲＢ（ＰＲＧ）にわたって固定された状態であると仮定することもできる。ＵＥは、同じＰＲＧのＰＲＧにわたって含まれている基準信号を用いてチャネル推定を向上させるためにこの仮定を利用することができる。
しかしながら、バンドリングは、チャネル推定精度には利益があるが、ネットワークが同じＰＲＧのＰＲＢにわたって同じプリコーディングベクトルを維持することを要求するため干渉無効化の性能を劣化させることがあり、プリコーダは、粗い粒度でしか選択することができない。
【００５０】
［００５９］現在は、ＵＥは、内挿を困難にするＣＳＩ情報のワイドバンド又はサブバンドの平均化を行う。
【００５１】
［００６０］従って、ＣＳＩオーバーヘッドの大きな増大、例えば、サブバンド粒度の増大の結果生じる増大、を回避しながらＣＳＩフィードバック精度を向上させること、及び、復調が行われるときにＵＥ側の内挿を可能にすることが望ましい。
【００５２】
［００６１］本開示の態様は、内挿に基づく干渉無効化のための技法を提供し、ネットワーク側での内挿を可能にするためにＵＥが指定された周波数位置でＣＳＩフィードバックを行うことを可能にする。本開示の態様は、復調のためのプリコーダ内挿を行うための技法も提供する。復調が行われるときにＵＥ側での内挿を可能にするために、幾つかの態様は、内挿を行うことが許容されるとき（例えば、バンドリングが仮定されるべきでないとき）を知らせることを提供する。幾つかの態様は、内挿を行うための技法をさらに提供する。
【００５３】
［００６２］幾つかの態様により、ＵＥは、予め定義された周波数位置でチャネル推定を行い、予め定義された周波数位置に関してネットワークにＣＳＩフィードバックを提供することができる。ネットワークは、予め定義された周波数位置の間でのＣＳＩを復元するために提供されたＣＳＩフィードバックを用いて内挿を行うことができる。
【００５４】
［００６３］幾つかの態様により、ＵＥは、予め定義された周波数位置での復調のためにチャネルを推定し、ＵＥは、チャネルを内挿し、各トーンでの復調のための内挿されたチャネルを仮定する（例えば、ＵＥは、バンドリングに関する仮定を行わない）。
【００５５】
［００６４］図５は、本開示の幾つかの態様による、予め定義された周波数位置における復調のための内挿に基づくＣＳＩフィードバック例を示す。図５においてわかるように、ＵＥは、予め定義された周波数位置５０２ａ．．．５０２ｎにおける復調のためのチャネルを推定することができる。ＵＥは、チャネルを内挿し、各トーンでの復調のための内挿されたチャネルを仮定することができる（例えば、それは、バンドリングに関する仮定を行わない）。
【００５６】
［００６５］ＭＰＥに関して、ＣＳＩフィードバックは、複数の送信ポイントにチャネルを搬送することができる。ＣＳＩフィードバックは、イントラポイントフィードバック（ｉｎｔｒａ−ｐｏｉｎｔ  ｆｅｅｄｂａｃｋ）又はインターポイントフィードバック（ｉｎｔｅｒ−ｐｏｉｎｔ  ｆｅｅｄｂａｃｋ）であることができる。イントラポイントフィードバックは、ＵＥから特定の送信ポイントへのＣＳＩ情報をキャプチャする。インターポイントフィードバックは、一対の送信ポイントに対応するＣＳＩフィードバックインスタンス間の振幅／位相関係をキャプチャする。インターポイントフィードバックは、ＵＥへのコヒーレントな送信を可能にすることができ、現在はＬＴＥではサポートされていない。内挿に基づくフィードバック技法は、イントラポイントフィードバック及びインターポイントフィードバックの両方に適用することができる。
【００５７】
［００６６］幾つかの態様により、ＵＥは、予め定義された周波数位置を使用することとは反対に、それがフィードバックを提供する周波数位置５０２ａ．．．５０２ｎを選択することができる。これは、例えば、実際のチャネル実現に基づいて位置を選択することによってネットワークにおける向上された内挿精度を可能にすることができる。
【００５８】
［００６７］幾つかの実施形態に関して、イントラポイントＣＳＩフィードバックに関して、ＵＥは、送信ポイントからＵＥへのチャネル行列Ｈの推定値を入手するために基準信号（例えば、ＬＴＥにおけるＣＳＩ−ＲＳ）に基づいて送信ポイントに関するチャネルを推定することができる。上記のように、それらの推定値は、ある１つの範囲の周波数にわたって平均化するのではなく予め定義された周波数位置（例えば、周波数位置５０２ａ．．．５０２ｎ）に関して入手することができる。例えば、周波数位置は、周波数内の基準信号ＲＥの位置（例えば、ＣＳＩ−ＲＳ  ＲＥ位置）に対応することができる。推定誤差を取り除くために複数の周波数位置にわたるフィルタリングを使用することができるが、最終的なＣＳＩ推定値は、幾つかの周波数位置にわたる何らかの平均ではなく各周波数位置を表すべきである。
【００５９】
［００６８］予め定義された周波数位置においてチャネル推定を行った後は、ＵＥは、各周波数位置に関するフィードバック計算を行うことができる。フィードバックは暗黙的、明示的、又は要素ごとであることができる。暗黙的フィードバックの場合は、ＵＥは、各周波数位置に関してＰＭＩ／ＣＱＩを選択することができる（ＲＩは、ワイドバンドのままであることができる）。明示的フィードバックの場合は、ＵＥは、各周波数位置に関してチャネル方向（ｃｈａｎｎｅｌ  ｄｉｒｅｃｔｉｏｎ）（ＣＤＩ）を計算することができる。幾つかの実施形態に関しては、チャネル方向を決定するために単一値分解を使用することができる。代替として、受信ベクトルｒ＊は、周波数位置ごとに決定することができ、有効チャネル方向（例えば、多入力単出力（ＭＩＳＯ）チャネル）は、ｒ＊Ｈとして決定することができる。幾つかの実施形態に関しては、ランク＞１送信を考慮するために２つ以上のＣＤＩをフィードバックすることができる。要素ごとのフィードバックの場合は、ＵＥは、（例えば、受信処理仮定を行わずに）行列要素当たりのチャネル行列をフィードバックすることができる。
【００６０】
［００６９］各周波数位置に関するフィードバックを計算後は、ＵＥは、ＣＳＩ情報をネットワークにフィードバックすることができる。幾つかの態様により、前ステップで計算されたＣＳＩ情報に関して量子化を行うことができる。次に、フィードバックは、物理アップリンク共有チャネル（ＰＵＳＣＨ）又は物理アップリンク制御チャネル（ＰＵＣＣＨ）でネットワークに報告することができる。
【００６１】
［００７０］ネットワークは、ＣＳＩを受信すること及び内挿を行うことができる。内挿は、フィードバックされた周波数位置間でトーンに関するＣＤＩ及び／又はＰＭＩ情報を決定するために行うことができる。
【００６２】
［００７１］幾つかの態様により、イントラポイントＣＳＩフィードバックのための手順に類似するそれをインターポイントフィードバックのために使用することができる。インターポイントフィードバックは、インターポイント振幅及び位相情報の両方を備えることができる。振幅フィードバックは、送信ポイントの相対的チャネル強度をキャプチャし、ＰＭＩ／ＣＤＩは、チャネル方向のみをキャプチャする。位相フィードバックは、送信ポイント間の位相オフセットをキャプチャする。幾つかの実施形態に関しては、インターポイントフィードバックは、イントラポイントＣＳＩ情報が決定された後に計算することができる。
【００６３】
［００７２］幾つかの態様により、内挿に基づくインターポイントＣＳＩフィードバックを行うことができる。振幅／位相情報は、イントラポイントフィードバックに関して使用される周波数位置において計算することができ、同じく平均化は行われない。これで、振幅／位相情報をネットワークにフィードバックすることができる。ネットワークは、周波数位置（例えば、周波数位置５０２ａ．．．５０２ｎ）の間でのトーンにおいて振幅／位相情報を決定するために振幅／位相情報を内挿することができる。
【００６４】
［００７３］幾つかの態様により、インターポイントＣＳＩフィードバックのために使用される周波数位置は、インターポイントＣＳＩフィードバックがイントラポイントＣＳＩフィードバックよりも周波数選択性が高い又は低いときにオーバーヘッドの節約を考慮するためにイントラポイントＣＳＩフィードバックのために使用される周波数位置よりも粒度が細かい又は粗いことができる。幾つかの実施形態に関しては、周波数粒度（すなわち、内挿位置）は、各送信ポイント（すなわち、フィードバックインスタンス）に関して異なった方法で設定又は選択することができる。従って、フィードバック粒度は各送信ポイントの周波数選択性に合わせて適合化することができるためオーバーヘッドの節約を達成させることができる。幾つかの実施形態に関しては、周波数粒度は、ネットワークによって設定することができる。代替として、周波数粒度は、ＵＥによって選択することができる。インターポイントフィードバックの粒度は、各々の対のインターポイントＣＳＩフィードバックインスタンスに関して独立して選択することができる。
【００６５】
［００７４］幾つかの態様により、周波数粒度は、周波数選択性の関数として選択することができるだけでなく、セルの長期的チャネル強度を考慮に入れることもできる。例えば、強力なセルは、弱いセルよりも高い精度で報告されるべきである。従って、フィードバックは、スケーラブルであることができる。
【００６６】
［００７５］幾つかの態様により、内挿に基づくフィードバックは、周期的な又は非周期的なフィードバックであることができる。周期的フィードバックは、周波数位置にわたってサイクルすることができる（例えば、異なるサブフレームに関して異なる周波数位置を報告する）。非周期的フィードバックは、ＰＵＳＣＨで１つの報告においてすべての周波数位置のＣＳＩを報告することを備えることができる。
【００６７】
［００７６］幾つかの態様により、チャネル推定誤差の影響を軽減するために、ＣＳＩ推定値のフィルタリングを行うことができる。フィルタリングは、近隣の周波数位置の間での相関関係を利用することによって測定誤差の影響を軽減することができる。フィルタリングは、フィルタリングされたＣＳＩ推定値が引き続きその周波数位置に関する代表値であり及びネットワークが内挿を行う能力を損なわないような形で行うことができる。幾つかの実施形態に関しては、フィルタリングパラメータは、チャネルの遅延−拡散／周波数−選択性に依存することができる。例えば、周波数選択性がより低いチャネルは、測定雑音を低減させるためにより広範な範囲の周波数位置にわたってフィルタリングするのを可能にすることができ、他方、周波数選択性がより高いチャネルは、周波数位置にわたって変化することができるため、より少ないフィルタリングを可能にすることができる。
【００６８】
［００７７］幾つかの実施形態に関しては、フィルタリングパラメータは、ＵＥによって決定することができる。ＵＥは、ネットワークから受信されたシグナリングに少なくとも部分的に基づいてフィルタリングパラメータを決定することができる。代替として、ＵＥは、チャネルの周波数選択性のより長期的な観測に基づいてフィルタリングパラメータを決定することができる。
【００６９】
［００７８］幾つかの態様により、ＣＳＩフィードバックが行われる周波数位置は、経時で変化することができる（例えば、サブフレームに依存）。経時で周波数位置を変化させることは、内挿プロセスを向上させることができる。図６は、本開示の幾つかの態様による、内挿に基づくＣＳＩフィードバック又は経時で変化する復調周波数位置の例を示す。
図６において示されるように、幾つかの線は、時間インスタンスＴ０におけるフィードバックに対応し、その他の線は、時間Ｔ１におけるフィードバックに対応する。示されるように、周波数位置は、時間インスタンスＴ０及びＴ1にわたって変化する。これは、周波数及び時間の両方にわたる内挿を可能にすることができる。時間の点での内挿は、異なるサブフレームで報告されたＣＳＩ情報にわたる内挿に対応する。例えば、より古い報告は、より最近の報告と比較して内挿手順においてより低い重みを搬送するはずである。
【００７０】
［００７９］幾つかの態様により、暗黙的フィードバックに関して、ＣＳＩは、チャネル及び干渉測定値に基づいて計算することができる。平均化は、ワイドバンド／サブバンドレベルで行うことができる。幾つかの態様により、内挿は、周波数の干渉に関する相関関係が存在しない場合は干渉測定には適用することができない。ＭＰＥに関して、干渉は、調整が行われないセルからの干渉のみをキャプチャすることができる。干渉推定は、フィードバックが提供される送信ポイントにわたって共通であることができ、調整されていない干渉を反映させることができる。各送信ポイントに関するＣＱＩを提供することができ及びインターポイント振幅フィードバックのために使用することができる。例えば、共通の干渉レベルに対するチャネル強度を表すことができるＣＱＩレベルは、送信ポイント間での振幅関係を反映させることができる。干渉推定は、ワイドバンド／サブバンドレベルで行うことを続けることができる。
【００７１】
［００８０］幾つかの態様により、内挿に基づく復調を行うことができる。ＰＲＢバンドリングは、典型的には、ＰＭＩ／ＣＱＩフィードバックが構成されたときにネットワークが１つのＰＲＧ当たり１つのプリコーダを選択するように要求する。これは、プリコーダを１つのＰＲＢごとに又は１つのトーンごとに好適化することができないため、無効化利得を損なうおそれがある。幾つかの実施形態に関しては、受信機において内挿に基づくＣＳＩ推定を行うことは、ＰＲＢバンドリングがないことに起因するある程度のチャネル推定損失を犠牲にして無効化利得に対する影響を回避することができる。
【００７２】
［００８１］幾つかの実施形態に関しては、ＤＭ−ＲＳを復調のために使用することができる。ＤＭ−ＲＳは、プリコーディングされた基準信号である。ＤＭ−ＲＳは、コードブックに基づかないプリコーディングを可能にすることができる。幾つかの態様により、ＵＥは、バンドリングを仮定せずに、１つのＤＭ−ＲＳ周波数位置当たりのチャネルを推定することができる。プリコーダは、単一のＰＲＢにわたって固定されていると推定することができる。代替として、プリコーダは、副搬送波ごとに変わることができる。この場合は、ＵＥは、ＤＭ−ＲＳ周波数位置ごとに別々に推定を行うことができる。幾つかの態様により、推定誤差を抑止するために複数の周波数位置にわたるフィルタリングを使用することができる。しかしながら、最終的なＣＳＩ推定値は、各周波数位置を表すべきであり、幾つかの周波数位置にわたる平均を表さない。幾つかの態様においては、ＵＥは、プリコーディングを含むチャネル推定値を内挿することができ、及び、内挿された値に基づいて復調を行うことができる。ＵＥは、送信ランクがシステム帯域幅にわたって固定された状態であると仮定することができる。
【００７３】
［００８２］幾つかの態様により、様々な内挿技法を実行することができる。幾つかの実施形態に関しては、ＵＥは、ベクトルに基づくチャネル方向の内挿を行うことができる。
このアプローチ法では、ＵＥは、ベクトル要素ごとの内挿を避けることができ、代わりに、ＵＥは、（例えば、測地的内挿を通じて）チャネルの方向を直接内挿することができる。ベクトルに基づくチャネル方向の内挿は、チャネル方向が単位ノルムベクトルから成るＣＳＩフィードバックに非常に良く適することができる。
【００７４】
［００８３］幾つかの実施形態に関しては、ＵＥは、ベクトル／行列の各要素を独立して内挿することによってベクトル又は行列に関する要素ごとの内挿を行うことができる。要素ごとの内挿は、復調のための内挿に基づくＣＳＩ推定に非常に良く適することができる。この場合は、ＵＥは、ＤＭ−ＲＳアンテナポート及びＵＥ受信アンテナの各組み合わせに関してチャネル行列を別々に内挿することができる（プリコーディングを含む）。
【００７５】
［００８４］図７は、本開示の幾つかの態様による、無線通信に関する動作例７００を示す。動作７００は、例えば、ＵＥ（例えば、ＵＥ１２０）によって行うことができる。動作７００は、７０２において、少なくとも１つの送信ポイントから送信されたＲＳに基づいて複数の周波数位置でチャネル推定を行うことによって開始することができる。幾つかの態様により、周波数位置は、ＲＳを送信するために使用されるＲＥに対応することができる。幾つかの実施形態に関しては、ＵＥは、周波数位置の粒度を示すシグナリングを受信することができる。さらに、ＵＥは、チャネル推定における誤差を取り除くためのフィルタリングを行うことができる。
【００７６】
［００８５］７０４において、ＵＥは、各周波数位置に関する少なくとも１つのチャネルフィードバックメトリックを計算することができる。例えば、ＵＥは、チャネル推定の一部として計算されたチャネル行列要素を計算することができる。他の例として、ＵＥは、各周波数位置に関するＰＭＩ又はＣＱＩを計算することができる。さらに他の例として、ＵＥは、各周波数位置に関するチャネル方向を計算することができる。幾つかの態様により、ＵＥは、インターポイント振幅及び位相情報を計算することができる。
【００７７】
［００８６］７０６において、ＵＥは、チャネルフィードバックメトリックを少なくとも１つの送信ポイントに送信することができる。請求項８の方法では、シグナリングは、異なる送信ポイントに関する異なる粒度を示す。幾つかの態様により、フィードバックは、周期的に提供することができる。例えば、異なる周波数位置に関するフィードバックは、異なるサブフレームで報告することができる。代替として、フィードバックは、非周期的に提供することができる。例えば、すべての周波数位置に関するフィードバックを単一の報告で提供することができる。
【００７８】
［００８７］図８は、本開示の幾つかの態様による、無線通信のための動作例８００を示す。動作８００は、例えば、ＢＳ（例えば、ＢＳ１１０）によって行うことができる。動作８００は、８０２において、ＢＳから送信されたＲＳに基づいて複数の周波数位置で計算されたチャネルフィードバックメトリックをＵＥから受信することによって開始する。
例えば、ＢＳは、各周波数位置に関するＰＭＩ又はＣＱＩを受信することができる。代替として、ＢＳは、チャネル推定の一部としてＵＥによって計算されたチャネル行列要素又は各周波数位置に関するチャネル方向を受信することができる。各周波数位置に関するチャネルフィードバックメトリックは、少なくとも部分的には、他のＢＳから送信されたＲＳに基づくことができる。
【００７９】
［００８８］幾つかの実施形態に関しては、チャネルフィードバックメトリックは、周期的に受信することができる。例えば、異なる周波数位置に関するチャネルフィードバックメトリックは、異なるサブフレームで報告することができる。幾つかの実施形態に関しては、チャネルフィードバックメトリックは、非周期的に提供することができる。例えば、すべての周波数位置に関するフィードバックを単一の報告で提供することができる。幾つかの態様により、周波数位置は、ＲＳを送信するために使用されるＲＥに対応することができる。
【００８０】
［００８９］８０４において、ＢＳは、受信されたチャネルフィードバックメトリックの周波数位置間での周波数位置に関するフィードバックメトリックに関する値を決定するために内挿を行うことができる。例えば、ＢＳは、ベクトルに基づくチャネル方向の内挿を行うことができる。代替として、ＢＳは、ベクトル又は行列の各要素を独立して内挿することによってベクトル又は行列に関する要素ごとの内挿を行うことができる。
【００８１】
［００９０］幾つかの態様により、ＢＳは、周波数位置の粒度を示すシグナリングをＵＥに送信することができる。シグナリングは、異なる送信ポイントに関する異なる粒度を示すことができる。シグナリングは、ある範囲の周波数位置にわたる周波数選択性又はＢＳのセルの長期的なチャネル強度に基づくことができる。
【００８２】
［００９１］図９は、本開示の幾つかの態様による、無線通信のための動作例９００を示す。動作９００は、例えば、ＵＥ（例えば、ＵＥ１２０）によって行うことができる。動作９００は、９０２において、少なくとも１つの送信ポイントから送信されたＲＳに基づいて複数の周波数位置においてチャネル推定を行うことによって開始することができる。
幾つかの態様により、周波数位置は、ＤＭ−ＲＳを送信するために使用されるＲＥに対応することができる。幾つかの実施形態に関しては、ＵＥは、プリコーディングがＰＲＧにわたって固定されるバンドリングを仮定せずにＤＭ−ＲＳ周波数位置ごとにチャネルを推定することができる。
【００８３】
［００９２］９０４において、ＵＥは、複数の周波数位置間での周波数位置に関するチャネル推定値に関する値を決定するために内挿を行うことができる。及び、９０６において、ＵＥは、内挿された値に少なくとも部分的に基づいて復調を行うことができる。
【００８４】
［００９３］当業者は、情報及び信号は様々な異なる技術及び技法のうちのいずれかを用いて表すことができることを理解するであろう。例えば、上記の説明全体を通じて参照されることがあるデータ、命令、コマンド、情報、信号、ビット、シンボル、及びチップは、電圧、電流、電磁波、磁場、磁粒子、光学場、光学粒子、又はそれらのあらゆる組合せによって表すことができる。
【００８５】
［００９４］ここにおける開示と関係させて説明される様々な例示的な論理ブロック、モジュール、回路、及びアルゴリズムのステップは、電子ハードウェア、コンピュータソフトウェア、又はそれらの組み合わせとして実装可能であることを当業者はさらに評価するであろう。ハードウェアとソフトウェアのこの互換性を明確に例示するため、上記においては、様々な例示的なコンポーネント、ブロック、モジュール、回路、及びステップが、それらの機能の観点で一般的に説明されている。該機能がハードウェアとして又はソフトウェアとして実装されるかは、特定の用途及び全体的システムに対する設計上の制約事項に依存する。当業者は、説明されている機能を各々の特定の用途に合わせて様々な形で実装することができるが、該実装決定は、本開示の適用範囲からの逸脱を生じさせるものであるとは解釈されるべきではない。
【００８６】
［００９５］ここにおける開示と関係させて説明される様々な例示的な論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理デバイス、ディスクリートゲートロジック、ディスクリートトランジスタロジック、ディスクリートハードウェアコンポーネント、又はそれらのあらゆる組合せ、を用いて実装又は実行することが可能である。汎用プロセッサはマイクロプロセッサであることができるが、代替においては、プロセッサは、従来のどのようなプロセッサ、コントローラ、マイクロコントローラ、又はステートマシンであってもよい。プロセッサは、コンピューティングデバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はあらゆるその他の構成、として実装することも可能である。
【００８７】
［００９６］ここにおける開示と関係させて説明される方法又はアルゴリズムのステップは、直接ハードウェア内において、プロセッサによって実行されるソフトウェアモジュール内において、又はそれらの組み合わせ内において具現化することが可能である。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、取り外し可能なディスク、ＣＤ−ＲＯＭ、又は当業において既知であるその他のあらゆる形態の記憶媒体において常駐することができる。典型的な記憶媒体は、プロセッサが記憶媒体から情報を読み出すこと及び記憶媒体に情報を書き込むことができるようにプロセッサに結合される。代替においては、記憶媒体は、プロセッサと一体化させることができる。プロセッサ及び記憶媒体は、ＡＳＩＣ内に常駐することができる。ＡＳＩＣは、ユーザ端末内に常駐することができる。
代替においては、プロセッサ及び記憶媒体は、ユーザ端末内において個別コンポーネントとして常駐することができる。概して、図において例示される動作が存在する場合は、それらの動作は、同様の番号を有する対応する手段プラス機能（ｍｅａｎｓ−ｐｌｕｓ−ｆｕｎｃｔｉｏｎ）コンポーネントを有することができる。
【００８８】
［００９７］１つ以上の典型的な設計において、説明される機能は、ハードウェア、ソフトウェア、ファームウェア、又はそれらの組み合わせにおいて実装することができる。ソフトウェアにおいて実装される場合は、これらの機能は、コンピュータによって読み取り可能な媒体において１つ以上の命令又はコードとして格納すること又は送信することができる。コンピュータによって読み取り可能な媒体は、コンピュータ記憶媒体と、１つの場所から他へのコンピュータプログラムの転送を容易にするあらゆる媒体を含む通信媒体との両方を含む。記憶媒体は、汎用又は専用コンピュータによってアクセス可能なあらゆる利用可能な媒体であることができる。コンピュータによって読み取り可能な媒体は、非一時的なコンピュータによって読み取り可能な媒体であることができる。一例として、及び制限することなしに、該非一時的なコンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、希望されるプログラムコード手段を命令又はデータ構造の形態で搬送又は格納するために用いることができ及び汎用又は専用コンピュータ又は汎用又は専用プロセッサによってアクセス可能なその他の媒体、を備えることができる。さらに、いずれの接続もコンピュータによって読み取り可能な媒体であると適切に呼ばれる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバケーブル、より対線、ＤＳＬ、又は無線技術、例えば赤外線、無線、及びマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常は磁気的にデータを複製し、ｄｉｓｃは、レーザを用いて光学的にデータを複製する。上記の組合せも、コンピュータによって読み取り可能な媒体の適用範囲に含めるべきである。
【００８９】
［００９８］本開示に関する前の説明は、当業者が本開示を製造又は使用することを可能にするために提供される。本開示に対する様々な修正は、当業者にとって容易に明確になるであろう、及びここにおいて定められる一般原理は、本開示の精神又は適用範囲を逸脱せずにその他の変形に対しても適用することができる。以上のように、本開示は、ここにおいて説明される例及び設計に限定されることが意図されるものではなく、ここにおいて開示される原理及び新規の特徴に一致する限りにおいて最も広範な適用範囲が認められるべきである。
【図１】
2018117352.tif 000003
【図２】
2018117352.tif 000004
【図２Ａ】
2018117352.tif 000005
【図３】
2018117352.tif 000006
【図４】
2018117352.tif 000007
【図５】
2018117352.tif 000008
【図６】
2018117352.tif 000009
【図７】
2018117352.tif 000010
【図８】
2018117352.tif 000011
【図９】
2018117352.tif 000012
【手続補正書】
【提出日】平成30年2月22日(2018.2.22)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）による無線通信のための方法であって、
少なくとも１つの送信ポイントからサブフレームにおいて送信された基準信号（ＲＳ）に基づいて前記サブフレームにおける複数の周波数位置においてチャネル推定を、前記複数の周波数位置の各々に関するチャネル推定値を入手するために行うことと、ここにおいて、前記複数の周波数位置は、前記サブフレームに基づいて時間の経過に従って変化され、かつ前記チャネル推定は、異なるサブフレームで、異なる周波数位置において行われる、
各周波数位置に関する少なくとも１つのチャネルフィードバックメトリックを、その周波数位置に関する前記チャネル推定値に基づいて、計算することと、
前記チャネルフィードバックメトリックを前記少なくとも１つの送信ポイントに送信することと、を備える、方法。
【請求項２】
各周波数位置は、前記ＲＳのうちの１つを送信するために使用される１つのリソース要素（ＲＥ）に対応する請求項１に記載の方法。
【請求項３】
前記チャネル推定における誤差を取り除くためのフィルタリングをさらに備える請求項１に記載の方法。
【請求項４】
前記少なくとも１つのチャネルフィードバックメトリックは、各周波数位置に関するプリコーダ行列インジケータ（ＰＭＩ）又はチャネル品質インジケータ（ＣＱＩ）のうちの少なくとも１つを備える請求項１に記載の方法。
【請求項５】
前記少なくとも１つのチャネルフィードバックメトリックは、チャネル方向を備える請求項１に記載の方法。
【請求項６】
前記少なくとも１つのチャネルフィードバックメトリックは、前記チャネル推定の一部として計算されたチャネル行列要素を備える請求項１に記載の方法。
【請求項７】
前記少なくとも１つの送信ポイントは、少なくとも第１及び第２の送信ポイントを備え、
前記少なくとも１つのチャネルフィードバックメトリックは、前記第１及び第２の送信ポイントの各々に関するインターポイント振幅及び位相情報を備える請求項１に記載の方法。
【請求項８】
前記周波数位置の粒度を示すシグナリングを受信することをさらに備える請求項１に記載の方法。
【請求項９】
前記シグナリングは、異なる送信ポイントに関する異なる粒度を示す請求項８に記載の方法。
【請求項１０】
前記チャネルフィードバックメトリックは、周期的に送信され、
異なる周波数位置に関する前記チャネルフィードバックメトリックは、異なるサブフレームにおいて送信される請求項１に記載の方法。
【請求項１１】
前記チャネルフィードバックメトリックは、非周期的に送信され、
前記複数の周波数位置に関する前記チャネルフィードバックメトリックは、単一の報告において提供される請求項１に記載の方法。
【請求項１２】
ユーザ装置（ＵＥ）による無線通信のための方法であって、
少なくとも１つの送信ポイントからサブフレームにおいて送信された復調基準信号（ＤＭ−ＲＳ）を、前記サブフレームにおける複数の周波数位置において受信することと、ここにおいて、前記複数の周波数位置は、前記サブフレームに基づいて時間の経過に従って変化される、
前記複数の周波数位置の少なくとも２つにおいて前記ＤＭ−ＲＳに基づいてチャネル推定を、前記少なくとも２つの周波数位置の各々に関するチャネル推定に関する値を入手するために行うことと、ここにおいて、前記チャネル推定は、異なるサブフレームで、異なる周波数位置において行われる、
前記少なくとも２つの周波数位置間の周波数位置に関するチャネル推定に関する値を決定するために、前記少なくとも２つの周波数位置に関する前記チャネル推定に関する前記値に基づいて、内挿を行うことと、
前記少なくとも２つの周波数位置間の前記周波数位置に関する前記チャネル推定に関する前記値に少なくとも部分的に基づいて１つまたは複数の信号の復調を行うことと、を備える、方法。
【請求項１３】
各周波数位置は、前記ＤＭ−ＲＳのうちの１つを送信するために使用される１つのリソース要素（ＲＥ）に対応する請求項１２に記載の方法。
【請求項１４】
前記チャネル推定を前記行うことは、プリコーディングが物理的リソースブロックグループにわたって固定されるバンドリングを仮定せずにＤＭ−ＲＳ周波数位置ごとにチャネルを推定することを備える請求項１２に記載の方法。
【請求項１５】
ユーザ装置（ＵＥ）による無線通信のための装置であって、
少なくとも１つの送信ポイントからサブフレームにおいて送信された基準信号（ＲＳ）に基づいて前記サブフレームにおける複数の周波数位置においてチャネル推定を、前記複数の周波数位置の各々に関するチャネル推定値を入手するために行うことと、ここにおいて、前記複数の周波数位置は、前記サブフレームに基づいて時間の経過に従って変化され、かつ前記チャネル推定は、異なるサブフレームで、異なる周波数位置において行われる、
各周波数位置に関する少なくとも１つのチャネルフィードバックメトリックを、その周波数位置に関する前記チャネル推定値に基づいて、計算することと、
前記チャネルフィードバックメトリックを前記少なくとも１つの送信ポイントに送信することと、を行うように構成された少なくとも１つのプロセッサと、
前記少なくとも１つのプロセッサと結合されたメモリと、を備える、装置。
【請求項１６】
各周波数位置は、前記ＲＳのうちの１つを送信するために使用される１つのリソース要素（ＲＥ）に対応する請求項１５に記載の装置。
【請求項１７】
前記少なくとも１つのプロセッサは、前記チャネル推定における誤差を取り除くためにフィルタリングするようにさらに構成される請求項１５に記載の装置。
【請求項１８】
前記少なくとも１つのチャネルフィードバックメトリックは、各周波数位置に関するプリコーダ行列インジケータ（ＰＭＩ）又はチャネル品質インジケータ（ＣＱＩ）のうちの少なくとも１つを備える請求項１５に記載の装置。
【請求項１９】
前記少なくとも１つのチャネルフィードバックメトリックは、チャネル方向を備える請求項１５に記載の装置。
【請求項２０】
前記少なくとも１つのチャネルフィードバックメトリックは、前記チャネル推定の一部として計算されたチャネル行列要素を備える請求項１５に記載の装置。
【請求項２１】
前記少なくとも１つの送信ポイントは、少なくとも第１及び第２の送信ポイントを備え、
前記少なくとも１つのチャネルフィードバックメトリックは、前記第１及び第２の送信ポイントの各々に関するインターポイント振幅及び位相情報を備える請求項１５に記載の装置。
【請求項２２】
前記少なくとも１つのプロセッサは、前記周波数位置の粒度を示すシグナリングを受信するようにさらに構成される請求項１５に記載の装置。
【請求項２３】
前記シグナリングは、異なる送信ポイントに関する異なる粒度を示す請求項２２に記載の装置。
【請求項２４】
前記チャネルフィードバックメトリックは、周期的に送信され、
異なる周波数位置に関する前記チャネルフィードバックメトリックは、異なるサブフレームにおいて送信される請求項１５に記載の装置。
【請求項２５】
前記チャネルフィードバックメトリックは、非周期的に送信され、
前記複数の周波数位置に関する前記チャネルフィードバックメトリックは、単一の報告において提供される請求項１５に記載の装置。
【請求項２６】
ユーザ装置（ＵＥ）による無線通信のための装置であって、
少なくとも１つの送信ポイントからサブフレームにおいて送信された復調基準信号（ＤＭ−ＲＳ）を、前記サブフレームにおける複数の周波数位置において受信することと、ここにおいて、前記複数の周波数位置は、前記サブフレームに基づいて時間の経過に従って変化される、
前記複数の周波数位置の少なくとも２つにおいて前記ＤＭ−ＲＳに基づいてチャネル推定を、前記少なくとも２つの周波数位置の各々に関するチャネル推定に関する値を入手するために行うことと、ここにおいて、前記チャネル推定は、異なるサブフレームで、異なる周波数位置において行われる、
前記少なくとも２つの周波数位置間の周波数位置に関するチャネル推定に関する値を決定するために、前記少なくとも２つの周波数位置に関する前記チャネル推定に関する前記値に基づいて、内挿を行うことと、
前記少なくとも２つの周波数位置間の前記周波数位置に関する前記チャネル推定に関する前記値に少なくとも部分的に基づいて１つまたは複数の信号の復調を行うことと、を行うように構成された少なくとも１つのプロセッサと、
前記少なくとも１つのプロセッサと結合されたメモリと、を備える、装置。
【請求項２７】
各周波数位置は、前記ＤＭ−ＲＳのうちの１つを送信するために使用される１つのリソース要素（ＲＥ）に対応する請求項２６に記載の装置。
【請求項２８】
前記少なくとも１つのプロセッサは、プリコーディングが物理的リソースブロックグループにわたって固定されるバンドリングを仮定せずにＤＭ−ＲＳ周波数位置ごとにチャネルを推定することによって前記チャネル推定を行うように構成される請求項２６に記載の装置。
【手続補正２】
【補正対象書類名】明細書
【補正対象項目名】００８９
【補正方法】変更
【補正の内容】
【００８９】
［００９８］本開示に関する前の説明は、当業者が本開示を製造又は使用することを可能にするために提供される。本開示に対する様々な修正は、当業者にとって容易に明確になるであろう、及びここにおいて定められる一般原理は、本開示の精神又は適用範囲を逸脱せずにその他の変形に対しても適用することができる。以上のように、本開示は、ここにおいて説明される例及び設計に限定されることが意図されるものではなく、ここにおいて開示される原理及び新規の特徴に一致する限りにおいて最も広範な適用範囲が認められるべきである。
以下に本願発明の当初の特許請求の範囲に記載された発明を付記する。
［Ｃ１］  ユーザ装置（ＵＥ）による無線通信のための方法であって、少なくとも１つの送信ポイントから送信された基準信号（ＲＳ）に基づいて複数の周波数位置においてチャネル推定を行うことと、各周波数位置に関する少なくとも１つのチャネルフィードバックメトリックを計算することと、前記チャネルフィードバックメトリックを前記少なくとも１つの送信ポイントに送信することと、を備える、方法。
［Ｃ２］  前記周波数位置は、前記基準信号を送信するために使用されるリソース要素（ＲＥ）に対応するＣ１に記載の方法。
［Ｃ３］  前記チャネル推定における誤差を取り除くためのフィルタリングをさらに備えるＣ１に記載の方法。
［Ｃ４］  各周波数位置に関する少なくとも１つのチャネルフィードバックメトリックを計算することは、各周波数位置に関するプリコーダ行列インジケータ（ＰＭＩ）又はチャネル品質インジケータ（ＣＱＩ）のうちの少なくとも１つを計算することを備えるＣ１に記載の方法。
［Ｃ５］  各周波数位置に関する少なくとも１つのチャネルフィードバックメトリックを計算することは、各周波数位置に関するチャネル方向を計算することを備えるＣ１に記載の方法。
［Ｃ６］  前記チャネルフィードバックメトリックは、チャネル推定の一部として計算されたチャネル行列要素を備えるＣ１に記載の方法。
［Ｃ７］  前記チャネル推定を行うことは、少なくとも第１及び第２の送信ポイントから送信されたＲＳに基づいて複数の周波数位置においてチャネル推定を行うことを備え、各周波数位置に関する前記チャネルフィードバックメトリックを計算することは、前記第１及び第２の送信ポイントの各々に関するインターポイント振幅及び位相情報を計算することを備えるＣ１に記載の方法。
［Ｃ８］  前記周波数位置の粒度を示すシグナリングを受信することをさらに備えるＣ１に記載の方法。
［Ｃ９］  前記シグナリングは、異なる送信ポイントに関する異なる粒度を示すＣ８に記載の方法。
［Ｃ１０］  前記チャネルフィードバックメトリックは、周期的に提供されるＣ１に記載の方法。
［Ｃ１１］  異なる周波数位置に関するフィードバックは、異なるサブフレームで報告されるＣ１０に記載の方法。
［Ｃ１２］  前記チャネルフィードバックメトリックは、非周期的に提供され、すべての周波数位置に関する前記チャネルフィードバックメトリックは、単一の報告において提供されるＣ１に記載の方法。
［Ｃ１３］  ユーザ装置（ＵＥ）による無線通信のための方法であって、少なくとも１つの送信ポイントから送信された復調基準信号（ＤＭ−ＲＳ）に基づいて複数の周波数位置においてチャネル推定を行うことと、前記複数の周波数位置間での周波数位置に関するチャネル推定値に関する値を決定するための内挿を行うことと、前記内挿された値に少なくとも部分的に基づいて復調を行うことと、を備える、方法。
［Ｃ１４］  前記周波数位置は、前記ＤＭ−ＲＳを送信するために使用されるリソース要素（ＲＥ）に対応するＣ１３に記載の方法。
［Ｃ１５］  チャネル推定を前記行うことは、プリコーディングが物理的リソースブロックグループにわたって固定されるバンドリングを仮定せずにＤＭ−ＲＳ周波数位置ごとに前記チャネルを推定することを備えるＣ１３に記載の方法。
［Ｃ１６］  ユーザ装置（ＵＥ）による無線通信のための装置であって、少なくとも１つの送信ポイントから送信された基準信号（ＲＳ）に基づいて複数の周波数位置においてチャネル推定を行うための手段と、各周波数位置に関する少なくとも１つのチャネルフィードバックを計算するための手段と、前記チャネルフィードバックメトリックを前記少なくとも１つの送信ポイントに送信するための手段と、を備える、装置。
［Ｃ１７］  前記周波数位置は、前記基準信号を送信するために使用されるリソース要素（ＲＥ）に対応するＣ１６に記載の装置。
［Ｃ１８］  前記チャネル推定における誤差を取り除くためにフィルタリングするための手段をさらに備えるＣ１６に記載の装置。
［Ｃ１９］  各周波数位置に関する少なくとも１つのチャネルフィードバックメトリックを計算することは、各周波数位置に関するプリコーダ行列インジケータ（ＰＭＩ）又はチャネル品質インジケータ（ＣＱＩ）のうちの少なくとも１つを計算することを備えるＣ１６に記載の装置。
［Ｃ２０］  各周波数位置に関する少なくとも１つのチャネルフィードバックメトリックを計算することは、各周波数位置に関するチャネル方向を計算することを備えるＣ１６に記載の装置。
［Ｃ２１］  前記チャネルフィードバックメトリックは、前記チャネル推定の一部として計算されたチャネル行列要素を備えるＣ１６に記載の装置。
［Ｃ２２］  前記チャネル推定を行うことは、少なくとも第１及び第２の送信ポイントから送信されたＲＳに基づいて複数の周波数位置においてチャネル推定を行うことを備え、各周波数位置に関する前記チャネルフィードバックメトリックを計算することは、前記第１及び第２の送信ポイントの各々に関するインターポイント振幅及び位相情報を計算することを備えるＣ１６に記載の装置。
［Ｃ２３］  前記周波数位置の粒度を示すシグナリングを受信することをさらに備えるＣ１６に記載の装置。
［Ｃ２４］  前記シグナリングは、異なる送信ポイントに関する異なる粒度を示すＣ２３に記載の装置。
［Ｃ２５］  前記チャネルフィードバックメトリックは、周期的に提供されるＣ１６に記載の装置。
［Ｃ２６］  異なる周波数位置に関するフィードバックは、異なるサブフレームで報告されるＣ２５に記載の装置。
［Ｃ２７］  前記チャネルフィードバックメトリックは、非周期的に提供され、すべての周波数位置に関する前記チャネルフィードバックメトリックは、単一の報告において提供されるＣ１６に記載の装置。
［Ｃ２８］  ユーザ装置（ＵＥ）による無線通信のための装置であって、少なくとも１つの送信ポイントから送信された復調基準信号（ＤＭ−ＲＳ）に基づいて複数の周波数位置においてチャネル推定を行うための手段と、前記複数の周波数位置間での周波数位置に関するチャネル推定値に関する値を決定するための内挿を行うための手段と、前記内挿された値に少なくとも部分的に基づいて復調を行うための手段と、を備える、装置。
［Ｃ２９］  前記周波数位置は、前記ＤＭ−ＲＳを送信するために使用されるリソース要素（ＲＥ）に対応するＣ２８に記載の装置。
［Ｃ３０］  チャネル推定を前記行うことは、プリコーディングが物理的リソースブロックグループにわたって固定されるバンドリングを仮定せずにＤＭ−ＲＳ周波数位置ごとに前記チャネルを推定することを備えるＣ２８に記載の装置。
【外国語明細書】
2018117352000001.pdf